(57)【要約】      （修正有）【課題】ワイヤレス・プレゼンテーション・システムにおいてプラグ・アンド・ショー機能を有する活線挿抜装置（ＵＳＢメモリ）で、再生画面のための更新画面を生成し、ワイヤレスゲートウェイに送信可能とする。【解決手段】ワイヤレス・プレゼンテーション・システムにおける活線挿抜装置２５において、活線挿抜装置２５がコンピュータ２３にリンクする時、このコンピュータ２３の現在のプレゼンテーション画面とこの一つ前のプレゼンテーション画面の差異を分析し、コンピュータ２３を通じて更新画面をワイヤレスゲートウェイ２１へ伝送する。そしてワイヤレスゲートウェイ２１は、更新画面とこの一つ前のプレゼンテーション画面からコンピュータと同じ現在のプレゼンテーション画面を生成し、この画面を表示装置へ伝送する。【選択図】図２
2009054037.tif 000002
【特許請求の範囲】
【請求項１】
プラグ・アンド・ショー機能を持っている活線挿抜装置であり、ワイヤレス・プレゼンテーション・システムに応用され、上記システムはコンピュータとワイヤレスゲートウェイとを含め、このコンピュータは複数のプレゼンテーション画面を再生する機能を有し、上記ワイヤレスゲートウェイによりワイヤレス・インターネットとリンクし、このコンピュータとリンクできる活線挿抜装置において、
アプリケーション・プログラムが再生しているＮ番目プレゼンテーション画面とＮ−１番目プレゼンテーション画面を保存するメモリと；
このＮ番目プレゼンテーション画面とＮ−１番目プレゼンテーション画面の差異位置を標示し、Ｎ番目プレゼンテーション画面における差異位置にある更新画面を取り出す画面取出分析モジュールと；
上記活線挿抜装置とコンピュータとリンクする時、上記画面取出分析モジュールを制御しデータプロセスを行い、この更新画面をコンピュータを通じてワイヤレスゲートウェイへ伝送するプラグ・アンド・ショーモジュール；
を含め、
上記ワイヤレスゲートウェイが更新画面を受取ってから、この更新画面とワイヤレスゲートウェイでのＮ−１番目プレゼンテーション画面をコピーし、さらにワイヤレスゲートウェイでのＮ番目プレゼンテーション画面を生じることを具備していることを特徴とする活線挿抜装置。
【請求項２】
上記ワイヤレス・プレゼンテーション・システムでは更に表示装置を有し、この表示装置が上記ワイヤレスゲートウェイとリンクし、上記ワイヤレスゲートウェイの出力するプレゼンテーション画面を表示することを特徴とする請求項１記載の活線挿抜装置。
【請求項３】
上記コンピュータはＵＳＢ伝送インターフェースを有し、上記活線挿抜装置はＵＳＢメモリであることを特徴とする請求項１記載の活線挿抜装置。
【請求項４】
一種のワイヤレス・プレゼンテーション・システムであり、
アプリケーション・プログラムを有し、複数のプレゼンテーション画面を再生できるコンピュータと；
このコンピュータにワイヤレス・インターネットでリンクし、このコンピュータにより伝送するプレゼンテーション画面を受取るワイヤレスゲートウェイと；
上記コンピュータには活線挿抜によりリンクする活線挿抜装置と、
を含めるワイヤレス・プレゼンテーション・システムにおいて、
上記活線挿抜装置はさらに
アプリケーション・プログラムが再生するＮ番目プレゼンテーション画面とＮ−１番目プレゼンテーション画面を保存するメモリと；
Ｎ番目プレゼンテーション画面とＮ−１番目プレゼンテーション画面のと差異位置を標示し、Ｎ番目プレゼンテーション画面におけるこの差異位置にある更新画面を取り出す画面取出分析モジュールと；
上記活線挿抜装置とコンピュータとリンクする時、上記画面取出分析モジュールを制御しデータプロセスを行い、この更新画面をコンピュータを通じてワイヤレスゲートウェイへ伝送するプラグ・アンド・ショーモジュールと；
を含め、
上記ワイヤレスゲートウェイが更新画面を受取ってから、この更新画面とワイヤレスゲートウェイでのＮ−１番目プレゼンテーション画面をコピーし、さらにワイヤレスゲートウェイでのＮ番目プレゼンテーション画面を生じることを具備していることを特徴とするワイヤレス・プレゼンテーション・システム。
【請求項５】
更に表示装置を含め、この表示装置はワイヤレスゲートウェイとリンクし、ワイヤレスゲートウェイが出力するプレゼンテーション画面を表示することを特徴とする請求項４記載のワイヤレス・プレゼンテーション・システム。
【請求項６】
上記コンピュータはＵＳＢインターフェースを有し、この活線挿抜装置はＵＳＢメモリであることを特徴とする請求項４記載のワイヤレス・プレゼンテーション・システム。
【請求項７】
プラグ・アンド・ショーによりワイヤレスプレゼンテーションを行う方法、その手順は：
ａ．複数のプレゼンテーション画面を保存しておいた活線挿抜装置をコンピュータにリンクし；
ｂ．コンピュータとワイヤレスゲートウェイの間にワイヤレス・インターネットによりリンクされ；
ｃ．上記コンピュータによりＮ番目プレゼンテーション画面を再生され；
ｄ．画面取出分析プロセスを行い、Ｎ番目プレゼンテーション画面とＮ−１番目プレゼンテーション画面との差異位置を標示し、Ｎ番目プレゼンテーション画面におけるこの差異位置にある更新画面を取り出し；
ｅ．この更新画面をコンピュータを通じてワイヤレスゲートウェイまで伝送し；
ｆ．この更新画面とＮ−１番目プレゼンテーション画面をコピーし、このワイヤレスゲートウェイでＮ番目プレゼンテーション画面を生じ；
ｇ．上記ワイヤレスゲートウェイでのＮ番目プレゼンテーション画面を表示装置へ伝送し；
ｈ．プレゼンテーションの再生を終わるかどうかを判断し；
ｉ．もし判断の結果はＮｏになれば、Ｎ＋１の値をＮになれ、手順ｃを繰り返し；もし判断の結果はＹｅｓになれば、プレゼンテーションの再生を終わる。
【請求項８】
上記活線挿抜装置ではワイヤレスゲートウェイのサービス識別コード（ＥＳＳＩＤ）を保存しておいて、コンピュータはこの文字列によりワイヤレスゲートウェイとリンクすることを特徴とする請求項７記載の方法。
【請求項９】
手順ｄは排他的または（ＸＯＲ）数理論理によりＮ番目プレゼンテーション画面とＮ−１番目プレゼンテーション画面の差異位置を標示することを特徴とする請求項７記載の方法。
【請求項１０】
手順ｄでの更新画面は差異位置である矩形区域を含めることを特徴とする請求項７記載の方法。
【発明の詳細な説明】
【技術分野】
【０００１】
本発明は一種の活線挿抜装置に関し、特にプラグ・アンド・ショー（ｐｌｕｇ−ａｎｄ−ｓｈｏｗ）機能を有する一種の活線挿抜装置であり、更にこの活線挿抜装置を利用してプラグ・アンド・ショー機能を行っているワイヤレス・プレゼンテーション・システム（Ｗｉｒｅｌｅｓｓ  Ｐｒｅｓｅｎｔａｔｉｏｎ  Ｓｙｓｔｅｍ）とその方法である。
【背景技術】
【０００２】
図１を参照し、図１は従来のワイヤレス・プレゼンテーション・システムのダイアグラムである。図１により再生装置にワイヤレスゲートウェイ１（Ｇａｔｅｗａｙ）を設けられ、このワイヤレスゲートウェイ１は表示装置２とリンクし、例えばプロジェクタまたはプラズマテレビなどにリンクする。また、ワイヤレスゲートウェイ１はワイヤレス・インターネットリンク及びデータアクセスの機能を提供し、一方、ユーザー端ではプレゼンテーション画面の再生できるコンピュータ３を設ける。コンピュータ３が再生しているプレゼンテーション画面はワイヤレス・インターネットを通じてワイヤレスゲートウェイ１へ伝送し、そして表示装置２まで伝送し表示される。
【０００３】
ワイヤレス・プレゼンテーション・システムはワイヤレス・インターネットによりプレゼンテーション画面を伝送し、ユーザーにとってはもっと良い携帯性も持って、信号ケーブルの不便の繋がりも不要。しかし、プレゼンテーション画面のデータフローが膨大ですので、ワイヤレス・インターネットにより伝送する際に、伝送のスピードが大幅に落とす恐れがあり、プレゼンテーションの再生品質を影響し悪化になる可能である。上記問題を解決するため、ユーザー端のコンピュータはミラー・ドライバ・プログラム（ｍｉｒｒｏｒ  ｄｒｉｖｅｒ）をインストールする必要がある。ミラー・ドライバ・プログラムがワイヤレス・プレゼンテーション・システムでの役目及び効果は以下のように説明する。
【０００４】
プレゼンテーションの会議に、ユーザーが作った複数のプレゼンテーション画面は大体お互いにある程度の関連性があり、少なくともこの複数のプレゼンテーション画面は同じ背景や底色を持っている。また、この前の一つプレゼンテーション画面とこの後の一つプレゼンテーション画面の差異が一般的に大きくなく、特にユーザーがプレゼンテーションにより中間解説やアニメ効果などを作る時には著しい。従って、ミラー・ドライバ・プログラムの役目は：コンピュータが画面を再生し、現在のプレゼンテーション画面とこの前の一つプレゼンテーション画面の差異を分析し、そして現在のプレゼンテーション画面から更新画面を取り出し、この更新画面をワイヤレス・インターネットを通じてワイヤレスゲートウェイまで伝送する。この時、ワイヤレスゲートウェイは更新画面とこの前の一つプレゼンテーション画面を置き直して、ワイヤレスゲートウェイで現在のプレゼンテーション画面を生じ、この画面を表示装置へ伝送する。
【０００５】
ミラー・ドライバ・プログラムはワイヤレス・プレゼンテーション・システムでのプレゼンテーション画面のデータフローを抑え、伝送スピードを上げってプレゼンテーションの品質を維持することができるが、下記の欠点がある：
【０００６】
ａ．ミラー・ドライバ・プログラムは予めコンピュータにインストールしておかなければならなく、しかしながら、ドライバ・プログラムをインストールすることはかなり時間がかかる。
【０００７】
ｂ．ミラー・ドライバ・プログラムは予めインストールしなければならないが、一部の企業や会社は社内コンピュータに対して管理方針があるので、ドライバ・プログラムをインストールする際に社内の許可が必要です。
【０００８】
ｃ．ワイヤレス・プレゼンテーション・システムの普及につれ、それぞれワイヤレス・ゲートウェイ業者が提供するミラー・ドライバ・プログラムは単に自社の製品に適用するので、ユーザーは同時に様々なミラー・ドライバ・プログラムをインストールしなければならない。ユーザーにとって、これは面倒くさいし、コンピュータシステムの不具合も起こされる可能である。
【０００９】
多いのユーザーはプレゼンテーションを行っている時に、プレゼンテーションのデータを活線挿抜装置（例えば、ＵＳＢメモリ、ＵＳＢ  Ｆｌａｓｈ  Ｄｉｓｋ）に保存しておいたので、この活線挿抜装置をコンピュータに挿入しプレゼンテーションを行うことであるプラグ・アンド・ショー（ｐｌｕｇ−ａｎｄ−ｓｈｏｗ）が段々普段の使用習慣になり、これもコンピュータ技術発展の一つトレンドである。しかし、従来の技術はミラー・ドライバ・プログラムをインストールしなければならないので、プラグ・アンド・ショーの機能が達さなくなる。
【００１０】
従って、従来の技術の欠点に対して、プラグ・アンド・ショー機能を持っている活線挿抜装置及びこの活線挿抜装置によりプラグ・アンド・ショーを行うワイヤレス・プレゼンテーション・システムと方法は、この分野に関する人が解決しようとする課題である。
【発明の開示】
【００１１】
本発明の主な目的は一種のプラグ・アンド・ショー機能を有する活線挿抜装置を提供し、この活線挿抜装置がワイヤレス・プレゼンテーション・システムにおいてるコンピュータにリンクする時、自動的にプレゼンテーション画面を再生できることである。
【００１２】
本発明の更なる目的は一種のワイヤレス・プレゼンテーション・システムを提供し、このシステムは活線挿抜装置にリンクし、プラグ・アンド・ショーによりプレゼンテーション画面を再生することができる。
【００１３】
本発明の更なる目的は一種の活線挿抜装置によりプラグ・アンド・ショーを行っている方法を提供することである。
【００１４】
本発明は上記の目的を達するために、プラグ・アンド・ショー機能を持っている活線挿抜装置をワイヤレス・プレゼンテーション・システムに応用され、このシステムはコンピュータと、ワイヤレスゲートウェイと、表示装置とを含め、また、上記活線挿抜装置は更にワイヤレス・インターネット検出モジュールと、メモリと、画面取出分析モジュールと、プラグ・アンド・ショーモジュールとを含める。
【００１５】
ワイヤレス・インターネット検出モジュールはワイヤレスゲートウェイのサービス識別コード（ＥＳＳＩＤ）を含め、活線挿抜装置がコンピュータとリンクする時、ワイヤレス・インターネット検出モジュールは近くのワイヤレス・インターネット信号を検出し、そして識別文字列を基づいてワイヤレスゲートウェイによりワイヤレス・インターネットとリンクする。
【００１６】
メモリはユーザーが再生しようとする複数のプレゼンテーション画面を保存し、さらにレジスタを含め、コンピュータで再生している現在のプレゼンテーション画面（以下、Ｎ番目プレゼンテーション画面を称す）と再生していたこの前の一つプレゼンテーション画面（以下、Ｎ−１番目プレゼンテーション画面を称す）を一時保存する。
【００１７】
画面取出分析モジュールは画面取出分析プロセスを行うことができ、Ｎ番目プレゼンテーション画面とＮ−１番目プレゼンテーション画面との差異位置を標示し、Ｎ番目プレゼンテーション画面におけるこの差異位置にある更新画面を取り出す。更新画面は差異位置の矩形区域を含める。
【００１８】
プラグ・アンド・ショーモジュールの主な機能は活線挿抜装置とコンピュータとリンクする時、画面取出分析モジュールにおける画面取出分析プロセスを制御し、更新画面をコンピュータを通じてワイヤレスゲートウェイまで伝送する。ワイヤレス・インターネットの伝送負荷を減らすために、この更新画面はコーディングしておいてから伝送し、そうしたら伝送スピードを上げることができる。
【００１９】
ワイヤレスゲートウェイは更新画面を受取ってから、更新画面をデコーディングし、この更新画面とワイヤレスゲートウェイのＮ−１番目プレゼンテーション画面をコピーし、ワイヤレスゲートウェイでコンピュータにより再生しているのと同じＮ番目プレゼンテーション画面を生じ、表示装置へ伝送して再生する。
【００２０】
本発明のもう一つの実施例は活線挿抜装置によりワイヤレスプレゼンテーションを行う方法であり、その手順は：ａ．複数のプレゼンテーション画面を保存しておいた活線挿抜装置をコンピュータにリンクし；ｂ．コンピュータとワイヤレスゲートウェイの間にワイヤレス・インターネットによりリンクされ；ｃ．上記コンピュータによりＮ番目プレゼンテーション画面を再生され；ｄ．画面取出分析プロセスを行い、Ｎ番目プレゼンテーション画面とＮ−１番目プレゼンテーション画面との差異位置を標示し、Ｎ番目プレゼンテーション画面におけるこの差異位置にある更新画面を取り出し；ｅ．この更新画面をコンピュータを通じてワイヤレスゲートウェイまで伝送し；ｆ．この更新画面とＮ−１番目プレゼンテーション画面をコピーし、このワイヤレスゲートウェイでＮ番目プレゼンテーション画面を生じ；ｇ．上記ワイヤレスゲートウェイでのＮ番目プレゼンテーション画面を表示装置へ伝送し；ｈ．プレゼンテーションの再生を終わるかどうかを判断し；ｉ．もし判断の結果はＮｏになれば、Ｎ＋１の値をＮになれ、手順ｃを繰り返し；もし判断の結果はＹｅｓになれば、プレゼンテーションの再生を終わる。
【００２１】
本発明の上記の及びその他の目的、利点、並びに新規な特徴は、後述する添付の図面に示された本発明の好ましい態様の詳細な説明によって明白となる。
【発明を実施するための最良の形態】
【００２２】
本発明はプラグ・アンド・ショー機能を有する活線挿抜装置であり、この活線挿抜装置はワイヤレス・プレゼンテーション・システムに応用され、ユーザーはこの活線挿抜装置を通じて、ワイヤレス・プレゼンテーション・システムとリンクし、プラグ・アンド・ショーのプレゼンテーション画面を再生することができる。
【００２３】
図２を参照し、これは本発明のプラグ・アンド・ショー機能を有する活線挿抜装置とワイヤレス・プレゼンテーション・システムとリンクするダイアグラムである。
【００２４】
図２によって、ワイヤレス・プレゼンテーション・システムは再生端ではワイヤレスゲートウェイ２１と表示装置２２（例えば、プロジェクタまたはプラズマテレビなど）とを設け、ワイヤレスゲートウェイ２１はワイヤレス・インターネットとリンクする機能及びデータアクセス機能を提供し、且つ表示装置２２とリンクし；ユーザー端はプレゼンテーション画面を再生できるコンピュータ２３であり、このコンピュータ２３は伝送ポート２４を有し、その伝送インターフェースはＵＳＢインターフェースであり、本発明である活線挿抜装置２５の一つ実施例はＵＳＢメモリであり、これとコンピュータ２３の伝送ポート２４とを活線挿抜リンクの構造を形成する。
【００２５】
活線挿抜装置２５はワイヤレス・インターネット検出モジュール２５１と、メモリ２５２と、画面取出分析モジュール２５３と、プラグ・アンド・ショーモジュール２５４とを含める。
【００２６】
ワイヤレス・インターネット検出モジュール２５１はワイヤレスゲートウェイ２１のサービス識別コード（Ｅｘｔｅｎｄｅｄ  Ｓｅｒｖｉｃｅ  Ｓｅｔ  Ｉｄｅｎｔｉｆｉｅｒ，ＥＳＳＩＤを略する）を含め、活線挿抜装置２５とコンピュータ２３とリンクする時、このワイヤレス・インターネット検出モジュール２５１は近くのワイヤレス・インターネット信号を検出し、そして識別文字列に基づいてワイヤレスゲートウェイ２１とリンクする。
【００２７】
メモリ２５２はユーザーが再生しようとする複数のプレゼンテーション画面を保存し、さらにレジスタを含めてコンピュータ２３が再生している現在のプレゼンテーション画面（以下、Ｎ番目プレゼンテーション画面を称し）と再生していたこの前の一つプレゼンテーション画面（以下、Ｎ−１番目プレゼンテーション画面を称し）を一時保存する。
【００２８】
画面取出分析モジュール２５３は画面取出分析プロセスを行うことができ、Ｎ番目プレゼンテーション画面とＮ−１番目プレゼンテーション画面のとの差異位置を標示し、Ｎ番目プレゼンテーション画面におけるこの差異位置にある更新画面を取り出す。更新画面は差異位置の矩形区域を含める。
【００２９】
図３を参照し、これは本発明の活線挿抜装置によりワイヤレスプレゼンテーションを行っている方法であるフローチャートである。手順は下記のように示す：まず、複数のプレゼンテーション画面を保存した活線挿抜装置をコンピュータにリンクし（Ｓ３１）；コンピュータと一ワイヤレスゲートウェイを制御し、ワイヤレス・インターネットとリンクし（Ｓ３２）；コンピュータによりＮ番目プレゼンテーション画面を再生し（Ｓ３３）；画面取出分析プロセスを行い、Ｎ番目プレゼンテーション画面とＮ−１番目プレゼンテーション画面との差異位置を標示し、Ｎ番目プレゼンテーション画面における差異位置にある更新画面を取出し（Ｓ３４）；更新画面をコンピュータを通じてワイヤレスゲートウェイへ伝送し（Ｓ３５）；更新画面とＮ−１番目プレゼンテーション画面をコピーし、ワイヤレスゲートウェイでＮ番目プレゼンテーション画面を生じ（Ｓ３６）；ワイヤレスゲートウェイのＮ番目プレゼンテーション画面を表示装置へ伝送し（Ｓ３７）；プレゼンテーションの再生を終わるか否かを判断し（Ｓ３８）；もし判断の結果はＮｏになれば、Ｎ＋１の値をＮになれＮ＋１＝Ｎ（Ｓ３９）、手順（Ｓ３３）を繰り返し；もし判断の結果はＹｅｓになれば、プレゼンテーションの再生を終わる（Ｓ４０）。
【００３０】
手順（Ｓ３４）で、Ｎは１になる時、０番目プレゼンテーション画面は空白画面または初期画面にし；また、Ｎ番目プレゼンテーション画面とＮ−１番目プレゼンテーション画面の間に複数の差異位置が可能であり、更新画面が一個以上の可能である。また、更新画面は上記差異位置を含める矩形区域である。
【００３１】
手順（Ｓ３５）で、更新画面はコーディングされておいてワイヤレスゲートウェイへ伝送され、そうするとワイヤレス・インターネットは伝送負荷を減らすことになり；同樣に、手順（Ｓ３６）で、もしワイヤレスゲートウェイが受取った更新画面はコーディングファイルであれば、この画面をデコーディングされておかなければならなく、そしてＮ−１番目プレゼンテーション画面とをコピーする。
【００３２】
図４を参照し、図４は本発明が画面取出分析モジュールにより画面取出分析プロセスを行っているダイアグラム、図４はＮ−１番目プレゼンテーション画面４１とＮ番目プレゼンテーション画面４２を含め、Ｎ−１番目プレゼンテーション画面４１は『Ｈｏｗ  ａｒｅ  ｙｏｕ？』を表示し、Ｎ番目プレゼンテーション画面４２は『Ｈｏｗ  ａｒｅ  ｙｏｕ？』以外、その下で更に『Ｆｉｎｅ，  ｔｈａｎｋ  ｙｏｕ．』を表示する。
【００３３】
この時、二枚のプレゼンテーション画面に対して排他的または（ＸＯＲ）数理論理を行って、この二枚のプレゼンテーション画面の差異位置を標示する。図４での差異位置は『Ｆｉｎｅ，  ｔｈａｎｋ  ｙｏｕ．』にあり、そしてＮ番目プレゼンテーション画面４２で差異位置『Ｆｉｎｅ，  ｔｈａｎｋ  ｙｏｕ．』を含める更新画面４３を取出し、更新画面４３は差異位置を含める最小矩形区域である。
【００３４】
上記の説明により、本発明である活線挿抜装置はプラグ・アンド・ショーの機能を有し、ユーザーは活線挿抜装置をワイヤレス・プレゼンテーション・システムにおけるコンピュータに挿入するだけで、プレゼンテーション画面を再生することができる。従来の技術と比較すると、本発明はわざわざドライバ・プログラムをインストールする必要がなく、操作も簡単、プレゼンテーションの再生は社内コンピュータ使用の制限に影響されることがなく、また、ドライバ・プログラムをインストールすることによって起された異なるコンピュータシステムの間の不具合を防ぐことができる。
【００３５】
本発明においては多種の修正及び別形態が可能であるが、その具体的な態様を図面において例示し、ここに詳細に説明する。しかしながら、本発明は、開示した特定の形態に限定されないだけでなく、添付のクレームに規定される本発明の精神及び範囲に該当するすべての修正、同等物及び別形態に及ぶものであることが理解されるべきである。
【図面の簡単な説明】
【００３６】
【図１】従来のワイヤレス・プレゼンテーション・システム架構図。
【図２】本発明によりプラグ・アンド・ショー機能を有する活線挿抜装置とワイヤレス・プレゼンテーション・システムとリンクするダイアグラム。
【図３】本発明の活線挿抜装置によりワイヤレスプレゼンテーションを行っている方法であるフローチャート。
【図４】本発明で画面取出分析モジュールにより画面取出分析プロセスを行うダイアグラム。
【符号の説明】
【００３７】
１  ワイヤレスゲートウェイ
２  表示装置
３  コンピュータ
２１  ワイヤレス・ゲートウェイ
２２  表示装置
２３  コンピュータ
２４  伝送ポート
２５  活線挿抜装置
４１  Ｎ−１番目のプレゼンテーション画面
４２  Ｎ番目のプレゼンテーション画面
２５１  ワイヤレス・インターネット検出モジュール
２５２  メモリ
２５３  画面取出分析モジュール
２５４  プラグ・アンド・ショーモジュール
【図１】
2009054037.tif 000003
【図２】
2009054037.tif 000004
【図３】
2009054037.tif 000005
【図４】
2009054037.tif 000006